(57)【要約】【課題】美観を高めつつ、封水形成部材をトラップ本体の入口部に着脱可能に取り付けることによって、清掃時等には封水形成部材をトラップ本体から取り外してトラップ本体内の汚れを外部から容易に目視することができ、トラップ本体の汚れを直接除去して清掃することができる排水トラップを提供すること。【解決手段】シンクの排水口から排水される排水を一時的に貯留する有底筒状のトラップ本体２と、該トラップ本体２の側部に開口する接続口２ｂに接続されてトラップ本体２からの排水を前記排水管に導くためのトラップ排水管８を備えて成る排水トラップ１において、表面積の片側略半分が開口する開口部９ａを有し前記トラップ本体２の入口部２ｃに被着される蓋部９Ａと、該蓋部９Ａに形成された開口部９ａから前記トラップ本体２内に突出する筒状部９Ｂとで構成される封水形成部材９を、前記トラップ本体２の入口部２ｃに着脱可能に取り付ける。【選択図】図８
2007138498.tif 000002
【特許請求の範囲】
【請求項１】
排水口と排水管との間に接続される防臭用の排水トラップであって、
前記排水口から排水される排水を一時的に貯留する有底筒状のトラップ本体と、該トラップ本体の側部に開口する接続口に接続されてトラップ本体からの排水を前記排水管に導くためのトラップ排水管を備えて成る排水トラップにおいて、
表面積の片側略半分が開口する開口部を有し前記トラップ本体の入口部に被着される蓋部と、該蓋部に形成された開口部から前記トラップ本体内に突出する筒状部とで構成される封水形成部材を、前記トラップ本体の入口部に着脱可能に取り付けたことを特徴とする排水トラップ。
【請求項２】
前記封水形成部材の蓋部の上面とその周囲の面とを連続的に繋げたことを特徴とする請求項１記載の排水トラップ。
【請求項３】
前記封水形成部材の筒状部の外周面の一部を前記トラップ本体の内周面に当接させたことを特徴とする請求項１又は２記載の排水トラップ。
【請求項４】
前記封水形成部材の蓋部に形成された開口部に、複数の孔を形成して成る目皿を着脱可能に被着したことを特徴とする請求項１〜３の何れかに記載の排水トラップ。
【請求項５】
前記封水形成部材の筒状部内の上部に回転ツマミを形成したことを特徴とする１〜４の何れかに記載の排水トラップ。
【請求項６】
前記封水形成部材を前記トラップ本体の入口部に取り付けた状態で、該封水形成部材の筒状部の下端開口部がトラップ本体の側部に開口する前記接続口の下端縁よりも下方に位置するようにしたことを特徴とする請求項１〜５の何れかに記載の排水トラップ。
【発明の詳細な説明】
【技術分野】
【０００１】
本発明は、主にシステムキッチンのシンクに開口する排水口に取り付けられて使用される排水トラップに関するものである。
【背景技術】
【０００２】
この種の排水トラップは、例えばシステムキッチンのシンクの排水口と排水管との間に接続され、シンク下方のキャビネット内に収容されている。
【０００３】
ところで、近時のシステムキッチンにおいては、収納物の取り出し易さと収納容量の拡大を目的として、キャビネットを全て大型の引き出しとする構成が一般化している。このようなシステムキッチンのシンク近傍の側断面を図９に示すが、このシステムキッチンのシンク１２４の下方のキャビネット１２８内には、シンク１２４の排水口１２４ａと排水管１３１との間に接続される防臭用の排水トラップ１０１が収納されている。この場合、押し入れた引き出し１３０が排水トラップ１０１に当たって該排水トラップ１０１が破損することがないよう、排水口１２４ａ自体をシンク１２４の奥側（図９の右側）に設け、排水トラップ１０１もキャビネット１２８の背面に沿うように傾斜させて配置する構成が採用されている。
【０００４】
ここで、排水トラップ１０１の構成の詳細を図１０及び図１１に示す。
【０００５】
図１０は排水トラップの側面図、図１１は同排水トラップの斜視図であり、図示の排水トラップ１０１は、横方向に長い長円形の開口部を有する受け部１０２Ａの下部に、横Ｓ字状を成すＳ字管１０２Ｂと直管状のバイパス管１０２Ｃが接続されている。
【０００６】
上記Ｓ字管１０２Ｂには、Ｕ字状を成す封水部１０２ａと該封水部１０２ａに連なる排水部１０２ｂとが設けられており、封水部１０２ａの一端は、受け部１０２Ａに開口する半円状の排水口１０３（図１１参照）に接続され、同封水部１０２ａの他端は排水部１０２ｂに連通している。又、前記バイパス管１０２Ｃの一端は、受け部１０２Ａに開口する円孔状の高圧洗浄口１０４に接続され、同バイパス管１０２Ｃの他端はＳ字管１０２Ｂの前記排水部１０２ｂに連なり、排水部１０２ｂの端部は、排水管１３１に接続される。ここで、図１１に示すように、受け部１０２Ａに開口する前記排水口１０３には目皿１１１が被着され、高圧洗浄口１０４は高圧洗浄時以外はキャップ１０５によって閉じられている。
【０００７】
斯かる排水トラップ１０１においては、図９に示すシンク１２４において使用された水は、目皿１１１及び排水口１０３を通ってＳ字管１０２Ｂへと排水として流れるが、この排水は、Ｓ字管１０２Ｂの封水部１０２ａに一次的に貯留されて封水部を形成するため、排水管１３１側からの臭気が封水部によって遮断される。そして、封水部をオーバーフローした排水は、Ｓ字管１０２Ｂの排水部１０２ｂを通って排水管１３１へと流れて排出される。
【０００８】
又、排水管１３１の高圧洗浄に際しては、図１１に示すキャップ１０５が排水トラップ１０１から取り外され、受け部１０２Ａに開口する高圧洗浄口１０４から不図示の高圧洗浄ホースがシンク１２４側から通される。この高圧洗浄ホースは、排水トラップ１０１のＳ字管１０２Ｂの封水部１０２ａをバイパスして排水部１０２ｂへと通され、排水部１０２ｂから排水管１３１へと導入され、その先部に取り付けられた不図示のノズルから噴射される高圧水によって排水管１３１が高圧洗浄される。
【０００９】
而して、以上説明した従来の排水トラップ１０１は、封水部をＳ字管１０２Ｂによって形成するため、構造が複雑化する他、以下に列挙するような製造上及び使用上の問題を有している。
（１）製造上の問題：
ａ）構造が複雑で射出成形が不可能である。
【００１０】
ｂ）ブロー成形によって製造されるため、成形後のバリ取り等、人手による後処理加工が必要である。
【００１１】
ｃ）ブロー成形によって製造されるために肉薄な部分が生じ、その部分が破損し易い。
（２）使用上の問題：
ａ）内部の流路形状が複雑であるため、内部が汚れ易い。
【００１２】
ｂ）内部の流路形状が複雑であるために詰まりを誘発する可能性がある。
【００１３】
ｃ）詰まりが発生した場合、高圧水による洗浄等が行われるが、その効果が薄れるとともに、高圧洗浄ホースの挿入が困難である。
【００１４】
ｄ）ブラシ等によって排水トラップ内を直接的に清掃することが困難である。
【００１５】
そこで、排水トラップの内部に封水部を形成するための封水形成部材をトラップ本体の入口部に着脱可能に取り付けて成る排水トラップが提案されている（特許文献１〜３参照）。
【特許文献１】特開２００３−３２８４１８号公報
【特許文献２】実開昭５７−０３８８７１号公報
【特許文献３】特願２０００−１５４６００号明細書
【発明の開示】
【発明が解決しようとする課題】
【００１６】
ところが、特許文献１に記載された排水トラップでは、封水形成部が大きなる他、ゴミの流出止め対策及び封水形成部材の取着構造が明確ではない。
【００１７】
又、特許文献２，３に記載された排水トラップでは、トラップ本体内に仕切堰が立設されているため、この仕切堰が内部の流路構造を複雑化させ、内部の清掃性を阻害する要因となる。特に、特許文献２に記載された排水トラップは、キッチンで使用し得る具体的な構成を有しておらず、封水形成部材の全面が開口しているため、排水が一次的に貯留されている封水部が外から見えて美観が害される他、内部が汚れ易く、清掃が大変であるという問題を有している。
【００１８】
更に、特許文献３に記載された排水トラップでは、封水形成部材をプレート状の分離部材で構成しているため、該分離部材の両端縁とトラップ本体の内壁との間に高い気密性を確保しなければ、臭気を確実に遮断し切れないという構造上の問題がある。
【００１９】
本発明は上記問題に鑑みてなされたもので、その目的とする処は、美観を高めつつ、清掃時等には封水形成部材をトラップ本体から取り外してトラップ本体内の汚れを外部から容易に目視することができ、トラップ本体の汚れを直接除去して清掃することができるとともに、排水口から洗浄ホースを排水管に容易に導入して排水管の高圧洗浄を作業性良く行うことを可能ならしめる排水トラップを提供することにある。
【課題を解決するための手段】
【００２０】
上記目的を達成するため、請求項１記載の発明は、排水口と排水管との間に接続される防臭用の排水トラップであって、
前記排水口から排水される排水を一時的に貯留する有底筒状のトラップ本体と、該トラップ本体の側部に開口する接続口に接続されてトラップ本体からの排水を前記排水管に導くためのトラップ排水管を備えて成る排水トラップにおいて、
表面積の片側略半分が開口する開口部を有し前記トラップ本体の入口部に被着される蓋部と、該蓋部に形成された開口部から前記トラップ本体内に突出する筒状部とで構成される封水形成部材を、前記トラップ本体の入口部に着脱可能に取り付けたことを特徴とする。
【００２１】
請求項２記載の発明は、請求項１記載の発明において、前記封水形成部材の蓋部の上面とその周囲の面とを連続的に繋げたことを特徴とする。
【００２２】
請求項３記載の発明は、請求項１又は２記載の発明において、前記封水形成部材の筒状部の外周面の一部を前記トラップ本体の内周面に当接させたことを特徴とする。
【００２３】
請求項４記載の発明は、請求項１〜３の何れかに記載の発明において、前記封水形成部材の蓋部に形成された開口部に、複数の孔を形成して成る目皿を着脱可能に被着したことを特徴とする。
【００２４】
請求項５記載の発明は、請求項１〜４の何れかに記載の発明において、前記封水形成部材の筒状部内の上部に回転ツマミを形成したことを特徴とする。
【００２５】
請求項６記載の発明は、請求項１〜５の何れかに記載の発明において、前記封水形成部材を前記トラップ本体の入口部に取り付けた状態で、該封水形成部材の筒状部の下端開口部がトラップ本体の側部に開口する前記接続口の下端縁よりも下方に位置するようにしたことを特徴とする。
【発明の効果】
【００２６】
請求項１記載の発明によれば、排水トラップの清掃時には、封水形成部材をトラップ本体から取り外せば、シンクの排水口から排水トラップの内部の汚れを容易に目視することができ、又、内部の汚れをブラシ等の清掃具を用いて直接除去して確実に清掃することができる。そして、封水形成部材の蓋部の表面積の片側略半分が開口し、残りの略半分が閉塞しているため、封水部が外部から見えず、当該排水トラップの美観が高められるとともに、該蓋部が被着されるトラップ本体の入口部の開口面積を大きくしてトラップ本体内部の清掃性を高めることができる。
【００２７】
又、排水管の高圧洗浄に際しては、シンクの排水口から洗浄ホースが排水トラップを経て排水管へと導入されるが、排水トラップからは封水形成部材が取り外されているため、洗浄ホースを排水トラップ内を容易に通して排水管へと導くことができ、排水管を作業性良く高圧洗浄することができる。
【００２８】
請求項２記載の発明によれば、封水形成部材の蓋部の上面とその周囲の面とを連続的に繋げたため、当該排水トラップの美観と排水性が高められる。
【００２９】
請求項３記載の発明によれば、封水形成部材の筒状部の外周面の一部をトラップ本体の内周面に当接させることによって、トラップ本体の剛性及び強度を封水形成部材の筒状部によって補強することができる。
【００３０】
請求項４記載の発明によれば、封水形成部材の蓋部に形成された開口部に目皿を着脱可能に被着したため、排水と共に排水トラップに流入する根菜等の異物を確実に除去し、排水のみを排水管へと排出することができる。
【００３１】
請求項５記載の発明によれば、回転ツマミをつまんで封水形成部材をトラップ本体から容易に取り外すことができるとともに、封水形成部材の装着時に回転ツマミをつまんで該封水形成部材をその軸心回りに回動させることによって位置調整を行うことができる。
【００３２】
請求項６記載の発明によれば、封水形成部材の筒状部の下端開口部がトラップ本体の側部に開口する接続口の下端縁よりも下方に位置するため、トラップ本体内に封水部を確実に形成することができる。
【発明を実施するための最良の形態】
【００３３】
以下に本発明の実施の形態を添付図面に基づいて説明する。
【００３４】
図１は本発明に係る排水トラップを備えるシスムキッチンの斜視図、図２は同システムキッチンの排水トラップ部分の側断面図である。
【００３５】
図１に示すシステムキッチン２０は、床面上に設置された矩形ボックス状のベースキャビネット２１の上にカウンタ２２を載置して構成されており、カウンタ２２の正面に向かって左側には加熱調理部（ガスコンロ、ＩＨヒータ等）２３が配置され、その右側には上面が開口する矩形凹状のシンク２４が配置されている。このシンク２４は、ステンレス等の一体プレス成形品であって、その底部の略中央には円孔状の排水口２４ａが開口しており、その奥側の縁部上には水栓金具２５が立設されている。
【００３６】
又、ベースキャビネット２１の前記加熱調理部２３の下方の部位にはキャビネット２６が、その横にはキャビネット２７が、その横の前記シンク２４の下方の部位にはキャビネット２８がそれぞれ配されており、右端にはビルトインタイプの食器洗浄器２９が組み込まれている。
【００３７】
ところで、図２に示すように、シンク２４の下方のキャビネット２８内には引き出し３０が上下に収容されており、それらの奥には床面上から垂直に立ち上がる排水管３１が配されている。又、キャビネット２８内の奥側には本発明に係る排水トラップ１が収納されており、該排水トラップ１は、シンク２４の排水口２４ａと前記排水管３１との間に接続されて所要の防臭機能を果たす。
【００３８】
ここで、排水トラップ１の構成の詳細を図３〜図８に基づいて説明する。
【００３９】
図３は本発明に係る排水トラップの側断面図、図４は同排水トラップの平面図、図５は図３のＡ−Ａ線断面図、図６は図３のＢ−Ｂ線断面図、図７は排水トラップの封水形成部材と目皿の平面図、図８は排水トラップの清掃時の状態を示す側断面図である。
【００４０】
図３に示す排水トラップ１おいて、２はシンク２４の排水口２４ａ（図１及び図２参照）から排水される排水を一時的に貯留して封水部を形成するための有底筒状のトラップ本体であって、その上部には、上面が開口する半球凹面状の受け部２Ａが一体に形成されている。そして、排水トラップ１は、これをシンク２４の排水口２４ａに上方から組み込み、トラップ本体２の受け部２Ａの外周に螺合するロックナット３を締め付けることによって、シンク２４の排水口２４ａの周縁に取り付けられる。尚、シンク２４の排水口２４ａの周縁とロックナット３との間には、リング状のシール用パッキン４が介設される。
【００４１】
又、排水トラップ１のトラップ本体２の受け部２Ａ内には、受け部２Ａの内面に沿った半球面状のゴミカゴ５が着脱可能に設置されており、トラップ本体２の上面開口部２ａには、一部に開口部６ａを有する排水プレート６が着脱可能に被着されている。
【００４２】
ところで、トラップ本体２の受け部２Ａより下方の有底筒状部２Ｂは、垂直面に対して図示の角度θ１（本実施の形態では、２０°）だけ奥側（図２に示すように、キャビネット２８内の奥側）に傾斜しており、その奥側側部からは円管状（図６参照）の枝管２Ｃが垂直面から所定角度θ２（本実施の形態では、６５°）だけ奥側に傾斜して一体に形成されている。そして、この枝管２Ｃは、有底筒状部２Ｂの奥側側部に開口する接続口２ｂを介して有底筒状部２Ｂ内に連通しており、その端部にはエンボ７が接続され、このエルボ７と枝管２Ｃとでトラップ排水管８が構成されている。
【００４３】
而して、上記トラップ排水管８は、図２に示す前記排水管３１に接続されており、後述のようにシンク２４の排水口２４ａからトラップ本体２へと排出される排水を排水管３１へと導く機能を果たすものである。
【００４４】
ところで、本発明に係る排水トラップ１においては、トラップ本体２の有底筒状部２Ｂの内部に封水部を形成するための封水形成部材９がトラップ本体２の有底筒状部２Ｂの入口部２ｃ（図８参照）に着脱可能に取り付けられている。この封水形成部材９は、その表面積の片側略半分が開口する半円状の開口部９ａを有し（図７参照）トラップ本体２の有底筒状部２Ｂの入口部２ｃに着脱可能に被着される蓋部９Ａと、該蓋部９Ａに形成された前記開口部９ａからトラップ本体２の有底筒状部２Ｂ内に突出する筒状部９Ｂとで構成されている。尚、図３に示すように、蓋部２Ａの外周にはリング状のシール用パッキン１０が嵌着されている。
【００４５】
ここで、封水形成部材９の蓋部９Ａの上面は、円弧状の凹曲面に成形され、前記受け部２Ａの半球凹面状の内面に連続的に繋がっており、該蓋部９Ａの上面と受け部２Ａの内面とは滑らかな連続した凹曲面を形成している。
【００４６】
又、封水形成部材９の筒状部９Ｂは、図５に示すように、断面半円状のストレート管であって、その外周面の一部はトラップ本体２の有底筒状部２Ｂの内周面に当接している。そして、図３に示すように、封水形成部材９の筒状部９Ｂの下端はトラップ本体２の有底筒状部２Ｂの底部に開口しており、その開口部は、トラップ本体２の有底筒状部２Ｂの奥側側部に開口する前記接続口２ｂの下端縁よりも下方に位置している。具体的には、封水形成部材９の筒状部９Ｂの下端は、接続口２ｂの下端縁よりも図示のＨ（本実施の形態では、５２ｍｍ）だけ下方に開口している。
【００４７】
又、封水形成部材９の蓋部９Ａに形成された半円状の開口部９ａには、複数の孔１１ａが形成された半円板状の目皿（根菜キャッチャー）１１（図７参照）が着脱可能に被着されており、筒状部９Ｂ内の上部にはプレート状の回転ツマミ９ｂが一体に形成されている。尚、図７に示すように、目皿１１の外周部には半円切欠き状の指掛け孔１１ｂが形成されており、封水形成部材９の回転ツマミ９ｂは筒状部９Ｂへの排水の流れを阻害しないように半円状の開口部９ａの中心を横切る薄板で構成されている。
【００４８】
次に、以上のように構成された排水トラップ１の作用を説明する。
【００４９】
清掃時以外の通常使用時には、排水トラップ１には図３に示すように封水形成部材９が装着されており、図１に示すシステムキッチン２０において水栓金具２５から流出する水がシンク２４において使用され、使用後の排水は、シンク２４の排水口２４ａから排水プレート６の開口部６ａを通って排水トラップ１へと排出される。
【００５０】
排水トラップ１においては、排水はゴミカゴ５及び目皿１１の孔１１ａを通過して封水形成部材９の筒状部９Ｂへと流れ、トラップ本体２の有底筒状部２Ｂに一時的に貯留される。トラップ本体２の有底筒状部２Ｂ内には、一時的に貯留される排水によって封水部が形成され、この封水部によって、排水管３１側からの臭気を遮断し、シンク２４の排水口２４ａからの臭気の立ち上がりが確実に防がれる。そして、トラップ本体２の接続口２ｂの下端縁を越えてオーバーフローした排水は、トラップ排水管８を通って排水管３１へと排出される。尚、本実施の形態では、封水形成部材９の筒状部９Ｂの下端開口部は、トラップ本体２に開口する接続口２ｂの下端縁よりも下方に位置しているため、トラップ本体２の有底筒状部２Ｂ内に封水部を確実に形成することができる。
【００５１】
ところで、排水トラップ１の清掃時には、図８に示すように、排水プレート６とゴミカゴ５を排水トラップ１から取り外した後、封水形成部材９をトラップ本体２から取り外せば、シンク２４の排水口２４ａから排水トラップ１の内部の汚れを容易に目視することができ、又、内部の汚れをブラシ等の清掃具を用いて直接除去して確実に清掃することができる。尚、封水形成部材９の取り外しに際しては、目皿１１に形成された指掛け１１ｂに指を掛けて該目皿１１を取り外した後、回転ツマミ９ｂをつまんで封水形成部材９をトラップ本体２から容易に取り外すことができる。
【００５２】
又、排水管３１の高圧洗浄に際しては、シンク２４の排水口２４ａから不図示の洗浄ホースが排水トラップ１を経て排水管３１へと導入されるが、排水トラップ１からは封水形成部材９が取り外されているため、洗浄ホースを排水トラップ１内を容易に通して排水管３１へと導くことができる。このため、排水管３１をその内部に導入された洗浄ホースの先端ノズルから噴射される高圧水によって作業性良く高圧洗浄することができる。
【００５３】
以上のようにして排水トラップ１や排水管３１の洗浄が終了すると、封水形成部材９をトラップ本体２に組み込むが、このとき、回転ツマミ９ｂをつまんで封水形成部材９をその軸心回りに回動させることによって位置調整を行うことができ、図５に示すように、該封水形成部材９の筒状部９Ｂの外周面の一部をトラップ本体２の有底筒状部２Ｂの内周面に当接させることができる。このように封水形成部材９の筒状部９Ｂの外周面の一部をトラップ本体２の有底筒状部２Ｂの内周面に当接させることによって、有底筒状部２Ｂの剛性及び強度が封水形成部材９の筒状部９Ｂによって補強される。
【００５４】
而して、本実施の形態では、封水形成部材９の蓋部９Ａを大きくしても、その表面積の片側略半分が開口部９ａとして開口しているため、該蓋部９Ａが被着されるトラップ本体２の入口部２ｃの開口面積を大きくすることができ、清掃時に封水形成部材９をトラップ本体２から取り外せば、トラップ本体２には入口部２ｃが大きく開口する。従って、この大きく開口する入口部２ｃからトラップ本体２の内部を容易に清掃することができ、当該排水トラップ１の清掃性が高められる。
【００５５】
又、清掃時以外の封水形成部材９がラップ本体２に取り付けられている状態では、封水形成部材９の蓋部９Ａの表面積の片側略半分だけが開口部９ａとして開口し、残りの略半分が閉塞しているため、一時的に排水が貯留されている封水部が外部から見えず、当該排水トラップ１の美観が高められる。
【００５６】
更に、前述のように、封水形成部材９の蓋部９Ａの凹曲面状の上面は、受け部２Ａの半球凹面状の内面に連続的に繋がっており、両者は滑らかな連続した凹曲面を形成しているため、当該排水トラップ１の美観が更に高められるとともに、排水性も高められる。
【００５７】
又、本実施の形態に係る排水トラップ１においては、封水形成部材９の蓋部９Ａに形成された開口部に目皿１１を着脱可能に被着したため、排水と共に排水トラップ１に流入する根菜等の異物を確実に除去し、排水のみを排水管３１へと排出することができる。
【産業上の利用可能性】
【００５８】
本発明は、システムキッチンのみならず、洗面台、その他任意の排水口と排水管と間に接続される防臭用の排水トラップに対して適用可能である。
【図面の簡単な説明】
【００５９】
【図１】本発明に係る排水トラップを備えたシステムキッチンの斜視図である。
【図２】システムキッチンの排水トラップ部分の側断面図である。
【図３】本発明に係る排水トラップの側断面図である。
【図４】本発明に係る排水トラップの平面図である。
【図５】図３のＡ−Ａ線断面図である。
【図６】図３のＢ−Ｂ線断面図である。
【図７】本発明に係る排水トラップの封水形成部材と目皿の平面図である。
【図８】本発明に係る排水トラップの清掃時の状態を示す側断面図である。
【図９】従来の排水トラップを備えたシステムキッチンのシンク部分の側断面図である。
【図１０】従来の排水トラップの側面図である。
【図１１】従来の排水トラップの斜視図である。
【符号の説明】
【００６０】
１      排水トラップ
２      トラップ本体
２Ａ    トラップ本体の受け部
２Ｂ    トラップ本体の有底筒状部
２Ｃ    トラップ本体の枝管
２ａ    トラップ本体の上面開口部
２ｂ    トラップ本体の接続口
２ｃ    有底筒状部の入口部
３      ロックナット
４      シール用パッキン
５      ゴミカゴ
６      排水プレート
７      エルボ
８      トラップ排水管
９      封水形成部材
９Ａ    封水形成部材の蓋部
９Ｂ    封水形成部材の筒状部
９ａ    封水形成部材の開口部
９ｂ    封水形成部材の回転ツマミ
１０    シール用パッキン
１１    目皿
１１ａ  目皿の孔
１１ｂ  目皿の指掛け孔
２０    システムキッチン
２４    シンク
２４ａ  排水口
２８    キャビネット
３１    排水管
【図１】
2007138498.tif 000003
【図２】
2007138498.tif 000004
【図３】
2007138498.tif 000005
【図４】
2007138498.tif 000006
【図５】
2007138498.tif 000007
【図６】
2007138498.tif 000008
【図７】
2007138498.tif 000009
【図８】
2007138498.tif 000010
【図９】
2007138498.tif 000011
【図１０】
2007138498.tif 000012
【図１１】
2007138498.tif 000013